(57)【要約】【課題】山形のタイル整列台に役物タイルを載置し、そのままの状態で樹脂を的確に充填することができる役物タイル整列台、役物タイルユニットの製造装置および役物タイルユニットの製造方法を提案する。【解決手段】本発明の役物タイル整列台１は、複数の役物タイル５０の間隙に樹脂６０を充填して連結し役物タイルユニット７０を形成するために使用される役物タイル整列台１であって、該役物タイル整列台１は、整列させる複数の役物タイル５０の裏面形状に対応させた山形の本体部２と、本体部２の上面２ａに設けられ載置される複数の役物タイル５０間に目地を形成するための目地間隔形成用凸部３と、目地間隔形成用凸部３に設けられた樹脂充填用凹部４とを有している。本発明の役物タイルユニットの製造装置および製造方法は、上記役物タイル整列台１を利用するものである。【選択図】図１
2005076298.tif 000002
【特許請求の範囲】
【請求項１】
複数の役物タイルの間隙に樹脂を充填して連結し役物タイルユニットを形成するために使用される役物タイル整列台であって、
該役物タイル整列台は、整列させる複数の前記役物タイルの裏面形状に対応させた山形の本体部と、
該本体部の上面に設けられ載置される複数の前記役物タイル間に目地を形成するための目地間隔形成用凸部と、
該目地間隔形成用凸部に設けられた樹脂充填用凹部とを有していることを特徴とする役物タイル整列台。
【請求項２】
少なくとも前記樹脂充填用凹部の表面には、充填した樹脂が容易に剥離するように離型性付与がなされている請求項１に記載の役物タイル整列台。
【請求項３】
前記樹脂充填用凹部の下側側面は、前記目地間隔形成用凸部の幅方向における中央付近に向かって窪みを形成する湾曲面または屈曲面に形成されている請求項１または２に記載の役物タイル整列台。
【請求項４】
前記樹脂充填用凹部の内側底面は、前記役物タイル整列台の役物タイル載置面より若干高く形成されている請求項１ないし３のいずれかに記載の役物タイル整列台。
【請求項５】
整列させた複数の役物タイルの間隙に樹脂を充填して連結し役物タイルユニットを形成する役物タイルユニットの製造装置であって、
該役物タイルユニットの製造装置は、整列させる複数の前記役物タイルの裏面形状に対応させた山形の役物タイル整列台と、前記役物タイル整列台上に整列された役物タイルの間隙に樹脂を充填する樹脂充填手段とを有し、
前記役物タイル整列台は、上面に設けられた目地間隔形成用凸部と、該目地間隔形成用凸部に設けられた樹脂充填用凹部を有していることを特徴とする役物タイルユニットの製造装置。
【請求項６】
整列させた複数の役物タイルの間隙に樹脂を充填して連結し役物タイルユニットを形成する役物タイルユニットの製造方法であって、
該役物タイルユニットの製造方法は、整列させる複数の前記役物タイルの裏面形状に対応させた山形の役物タイル整列台に前記役物タイルを載置して整列させる工程と、前記役物タイル整列台上に整列された役物タイルの間隙に樹脂を充填する工程とを有し、
当該役物タイルの間隙に樹脂を充填する工程は、前記役物タイル整列台の目地間隔形成用凸部に設けられた樹脂充填用凹部に樹脂を充填して行うことを特徴とする役物タイルユニットの製造方法。
【発明の詳細な説明】
【技術分野】
【０００１】
本発明は、建造物のコーナー等を装飾するためのＬ字型タイルなど役物タイルを、所定の目地間隔分離間させて複数整列させ連結した役物タイルユニットを製造する際に使用して好適な役物タイル整列台、役物タイルユニットの製造装置および役物タイルユニットの製造方法に関する。
【背景技術】
【０００２】
従来より、複数のタイルを所定の目地間隔に離間させて整列させ、その各目地部に樹脂を充填して硬化させ相互を連結してタイルユニットを形成することがしばし行われている。この場合、各タイルは、樹脂の充填に先立って、所定の目地間隔に配列可能なタイル整列台に載置される。
【０００３】
しかし、Ｌ字型タイルのような役物タイルを整列させる場合、タイル整列台はタイル裏側の形態に対応させ山形のものを使用する必要があり、その山形のタイル整列台に役物タイルを整列させて樹脂を充填すると、樹脂がタイル整列台の斜面に沿って下方に流れてしまい、連結材として機能する状態に充填することが困難であった。
【０００４】
そして、そのような問題を解決するものとして、山形の各斜面を水平状態に支持した上で樹脂を充填可能とした役物タイルユニットの製造方法およびその製造装置（特開２００２−１７２６０９号）が提案されている。
【０００５】
しかし、この方法および装置は、各斜面を交互に水平にするための機構および動作を要するため、装置も複雑化し、方法としても煩雑であった。
【特許文献１】特開２００２−１７２６０９号
【発明の開示】
【発明が解決しようとする課題】
【０００６】
そこで、本発明の課題は、山形のタイル整列台に役物タイルを載置し、そのままの状態で樹脂を的確に充填することができる役物タイル整列台、役物タイルユニットの製造装置および役物タイルユニットの製造方法を提案することにある。
【課題を解決するための手段】
【０００７】
上記課題を解決するものは、複数の役物タイルの間隙に樹脂を充填して連結し役物タイルユニットを形成するために使用される役物タイル整列台であって、該役物タイル整列台は、整列させる複数の前記役物タイルの裏面形状に対応させた山形の本体部と、
該本体部の上面に設けられ載置される複数の前記役物タイル間に目地を形成するための目地間隔形成用凸部と、該目地間隔形成用凸部に設けられた樹脂充填用凹部とを有していることを特徴とする役物タイル整列台である。
【０００８】
少なくとも前記樹脂充填用凹部の表面には、充填した樹脂が容易に剥離するように離型性が付与されていることが好ましい。前記樹脂充填用凹部の下側側面は、前記目地間隔形成用凸部の幅方向における中央付近に向かって窪みを形成する湾曲面または屈曲面に形成されていることが好ましい。前記樹脂充填用凹部の内側底面は、前記役物タイル整列台の役物タイル載置面より若干高く形成されていることが好ましい。
【０００９】
また、上記課題を解決するものは、整列させた複数の役物タイルの間隙に樹脂を充填して連結し役物タイルユニットを形成する役物タイルユニットの製造装置であって、該役物タイルユニットの製造装置は、整列させる複数の前記役物タイルの裏面形状に対応させた山形の役物タイル整列台と、前記役物タイル整列台上に整列された役物タイルの間隙に樹脂を充填する樹脂充填手段とを有し、前記役物タイル整列台は、上面に設けられた目地間隔形成用凸部と、該目地間隔形成用凸部に設けられた樹脂充填用凹部を有していることを特徴とする役物タイルユニットの製造装置である。
【００１０】
さらに、上記課題を解決するものは、整列させた複数の役物タイルの間隙に樹脂を充填して連結し役物タイルユニットを形成する役物タイルユニットの製造方法であって、該役物タイルユニットの製造方法は、整列させる複数の前記役物タイルの裏面形状に対応させた山形の役物タイル整列台に前記役物タイルを載置して整列させる工程と、前記役物タイル整列台上に整列された役物タイルの間隙に樹脂を充填する工程とを有し、当該役物タイルの間隙に樹脂を充填する工程は、前記役物タイル整列台の目地間隔形成用凸部に設けられた樹脂充填用凹部に樹脂を充填して行うことを特徴とする役物タイルユニットの製造方法である。
【発明の効果】
【００１１】
本発明の役物タイル整列台は、上面に設けられた目地間隔形成用凸部と、目地間隔形成用凸部に設けられた樹脂充填用凹部とを有しており、この樹脂充填用凹部に樹脂を充填することができるように構成されているため、樹脂が下方に向かってながれることなく、山形のタイル整列台に役物タイルを載置した、そのままの状態で樹脂を的確に充填することができる。
【００１２】
本発明の役物タイルユニットの製造装置は、役物タイル整列台が、上面に設けられた目地間隔形成用凸部と、目地間隔形成用凸部に設けられた樹脂充填用凹部とを有しており、この樹脂充填用凹部に樹脂を充填することができるように構成されているため、山形のタイル整列台に役物タイルを載置した、そのままの状態で樹脂を的確に充填することができると共に、簡素な構造でかつ低廉な役物タイルユットの製造装置となる。
【００１３】
本発明の役物タイルユニットの製造方法では、役物タイル整列台の目地間隔形成用凸部に設けられた樹脂充填用凹部に樹脂を充填するため、山形のタイル整列台に役物タイルを載置した、そのままの状態で樹脂を的確に充填することができる。
【発明を実施するための最良の形態】
【００１４】
本発明の役物タイル整列台１は、複数の役物タイル５０の間隙に樹脂６０を充填して連結し役物タイルユニット７０を形成するために使用される役物タイル整列台１であって、該役物タイル整列台１は、整列させる複数の役物タイル５０の裏面形状に対応させた山形の本体部２と、本体部２の上面２Ａ，２Ｂに設けられ載置される複数の役物タイル５０間に目地を形成するための目地間隔形成用凸部３と、目地間隔形成用凸部３に設けられた樹脂充填用凹部４とを有している。以下、各構成について順次詳述する。
【実施例１】
【００１５】
図１は本発明の役物タイル整列台の一実施例の平面図であり、図２は図１のＡ−Ａ線拡大断面図であり、図３は本発明の役物タイルユニットの製造方法の一工程を説明するための平面図であり、図４は本発明の役物タイルユニットの製造方法の一工程を説明するための部分拡大図であり、図５は本発明の役物タイルユニットの製造方法の一工程を説明するための断面図であり、本発明の役物タイルユニットの製造装置の一実施例の正面図であり、図７は本発明の役物タイル整列台の他の実施例の斜視図であり、図８は役物タイルユニットの一実施例の斜視図であり、図９は図８に示した役物タイルユニットの正面図である。
【００１６】
本発明の役物タイル整列台１は、図８および図９に示すような、複数の役物タイル５０の間隙に樹脂６０を充填して連結し役物タイルユニット７０を形成するために使用されるものである。なお、本願において、役物タイルとは、平板形状ではなく、一部に屈曲部または湾曲部を有し、タイル裏面を下側に配置すると山形となるタイルを言う。この実施例の役物タイル５０は、直角に屈曲する屈曲部を有したＬ字型タイルであり、役物タイルユニット７０は屈曲部を揃えて５枚の役物タイル５０を連結したものである。ただし、本発明における役物タイルユニットは、この実施例の形態に限定されず、複数の役物タイルを連結したものを広く包含する。
【００１７】
本体部２は、図２に示すように、正面視で山形に形成されており、両端部にはそれぞれ水平方向に延在するコンベア載置部２ａ，２ｂを有している。本体部２の山形は、整列させる役物タイルの裏面形状に対応させた形となっており、この実施例では、役物タイル５０が９０度に屈曲する屈曲部を有するものであるため、本体部２は頂部に９０度の屈曲部２ｃを有するものとなっている。ただし、本体部における正面視山形の形状はこれに限定されるものではなく、整列させる役物タイルの裏面形状に対応させ、フィットするものであればどのような形状でもよく、例えば、頂部に９０度以外の屈曲部を有するものや屈曲部を有さず湾曲部のみから山形を形成するものなどでもよい。
【００１８】
目地間隔形成用凸部３は、整列させる複数の役物タイル５０間に目地となる部位を形成するためのものであり、図１に示すように、本体部２の上面（役物タイル載置面：４５度の傾斜面）２Ａ，２Ｂにそれぞれ設けられている。具体的には、この実施例の目地間隔形成用凸部３は、頂部２ｃ付近から斜面２Ａ，２Ｂに沿って下部まで延在する凸条部に形成されており、各斜面２Ａ，２Ｂにそれぞれ、役物タイル５０の幅長分離間させて形成された目地間隔形成用凸部３ａ，３ｂ，３ｃ，３ｄ，３ｅと長手方向の両端にそれぞれ設けられた凸条部２ｄ，２ｅにより、図３に示すように、５枚の役物タイル５０が本体部２の上面（役物タイル載置面）２Ａ，２Ｂに載置できるように構成されている。なお、この実施例の目地間隔形成用凸部３は、頂部２ｃに対して直交する方向に延在しているが、これに限定されるものではなく、役物タイル間に目地間隙を形成するものであればどのような方向に延在するものでもよい。
【００１９】
樹脂充填用凹部４は、役物タイル５０を連結するために目地形成部間に充填する樹脂を滴下する部位であり、図２および図３に示すように、目地間隔形成用凸部３に設けられている。そして、本発明の役物タイル整列台１は、このような樹脂充填用凹部４を有しているため、図４および図５に示すように、樹脂６０を滴下しても下方まで流れてしまうことなく、樹脂充填用凹部４にて貯留される。このため、山形のタイル整列台１に役物タイル５０を載置した、そのままの状態で樹脂６０を的確に充填することができる。
【００２０】
なお、この樹脂充填用凹部４の下側側面４ａは、図４に示すように、前記目地間隔形成用凸部の幅方向における中央付近に向かって窪みを形成する湾曲面に形成されている。これにより、下方へ流れようとする樹脂６０をより堰き止めることができる。なお、この実施例の下側側面は、湾曲面であるが、これに限定されるものではなく、中央付近に屈曲部を有し、中央付近に向かって窪みを形成する屈曲面に形成されていてもよい。
【００２１】
また、樹脂充填用凹部４の内側底面４ｂは、図５に示すように、役物タイル整列台１の役物タイル載置面２Ａ，２Ｂより若干高く形成されている。これにより、役物タイル５０の裏面側に樹脂６０が侵入することを抑止でき、役物タイルの裏面側に樹脂６０の一部が侵入硬化して、役物タイルユニットの構造躯体への張設に際して弊害を生起させることを防止できる。
【００２２】
さらに、少なくとも樹脂充填用凹部４の表面は、充填した樹脂が容易に剥離するように離型性が付与されていることが好ましい。これにより、充填した樹脂が樹脂充填用凹部の表面に付着することを防止できる。より具体的には、樹脂６０が充填される樹脂充填用凹部４の表面は、離型性に優れた材質にて形成されており、この実施例では、図１に示すように、離型性付与テープ（テフロン（登録商標）テープ）５が目地間隔形成用凸部３ａ，３ｂ，３ｃ，３ｄ，３ｅに貼着されることにより、樹脂充填用凹部４の表面に離型性が付与されている。  
【００２３】
ただし、樹脂充填用凹部４の表面は、このようなテープ部材を貼着して離型性を確保することに限定されず、例えばテフロン加工を表面に施す方法、テフロン以外の離型性に優れた材質（シリコーン樹脂やフッ素樹脂、）にて樹脂充填用凹部４の表面を形成するなどによってもよい。好ましくは、樹脂が充填しやすく、タイルの滑り性にも優れたテフロンによる加工であり、より好ましくは、加工時や磨耗時の取り付け、取り替えも容易で低廉なテフロンテープの貼着である。
【００２４】
本体部２の形成材料としては、機械的強度や耐熱性に優れたものであればどのようなものでもよいが、この実施例では、ガラス性樹脂が使用されている。なお、前述したように、少なくとも樹脂充填用凹部４の表面、または役物タイル整列台１の上面２Ａ，２Ｂ全面をテフロン加工する場合は、高温塗装が可能なアルミニウムなどにより本体部が形成されていてもよい。
【００２５】
図１中の符号６は貫通穴であり、この実施例では、頂部２ｃに沿って６つの貫通穴が設けられている。この貫通穴６は、樹脂６０を充填硬化させ相互に連結して作製した役物タイルユニット７０を、一体的に役物タイル整列台１から離型させる際に機能するものである。具体的には、後述する役物タイルユニットの製造方法の最終工程において、貫通穴６には上方に向かって役物タイルユニット７０を押し上げるエジェクトピン（図示しない）が挿通され、役物タイル整列台１から役物タイルユニット７０が離型される。
【００２６】
つぎに、図６に示した本発明の役物タイルユニットの製造装置の一実施例について説明する。
この実施例の役物タイルユニットの製造装置１０は、整列させた複数の役物タイル５０の間隙に樹脂６０を充填して連結し役物タイルユニット７０を作製するためのものであり、整列させる複数の役物タイル５０の裏面形状に対応させた山形の役物タイル整列台１と、複数の役物タイル整列台１を載置するための支持本体１１と、支持本体１１に設けられ役物タイル整列台１を順次搬送するコンベア１２と、役物タイル整列台１上に整列された役物タイル５０の間隙に樹脂６０を充填するための樹脂充填手段１３とを有し、役物タイル整列台１は、上面２Ａ，２Ｂに設けられた目地間隔形成用凸部３と、目地間隔形成用凸部３に設けられた樹脂充填用凹部４を有している。以下、各構成について順次詳述するが、役物タイル整列台１については前述した通りであり説明を省略する。
【００２７】
この実施例の役物タイルユニットの製造装置１０は、役物タイル整列工程と樹脂充填工程とを行うものであり、その支持本体１１は製造装置１０の躯体を構成する部位であって、コンベア１２を構成するための上部枠体と支持脚とからなる。
【００２８】
コンベア１２は、支持本体１１の上部枠体内に回動自在に設けられ、複数の役物タイル５０を載置した役物タイル整列台１を樹脂充填手段１３に向かって順次搬送する。
【００２９】
樹脂充填手段１３は、役物タイル整列台１上に整列された役物タイル５０の間隙に樹脂６０を充填するためのものであり、コンベア１２の搬送方向の終端部付近に設けられ、上部付近に設けられ液状の熱硬化性樹脂（例えばアクリル系樹脂、ポリ塩化ビニルなど）が装填された樹脂供給部１３ａと、樹脂供給部１３ａから供給される樹脂を役物タイル５０の目地間隙部位に充填するためのノズル１４と、コンベア１２の終端部付近に搬送された役物タイル整列台１をノズル１４の下方に移動させるための往復動手段（図示せず）と、役物タイル整列台１をノズル１４に向かって上昇させ充填後に役物タイル整列台１を降下させる昇降手段（図示せず）とを有している。
【００３０】
そして、ノズル１４は、図６に示すように、役物タイル整列台１の山形形状に対応して山形に並設されており、役物タイル整列台１の上面２Ａ，２Ｂに設けられた目地間隔形成用凸部３の各樹脂充填用凹部４に樹脂を充填できるように構成されている。このため、充填された樹脂６０は、各樹脂充填用凹部４内に滴下されその位置に留まるため、役物タイル整列台１の傾斜面に沿って流れてしまうことがなく、役物タイル整列台１を、役物タイルを載置整列させる際と同様の状態で樹脂充填が可能となり、簡素な構造で容易に樹脂充填が可能で、かつ低廉に構成できる役物タイルユニットの製造装置となる。
【００３１】
つぎに、本発明の役物タイルユニットの製造方法を、前述した役物タイルユニットの製造装置１０を用いた一実施例を用いて説明する。
この実施例の役物タイルユニットの製造方法は、整列させた複数の役物タイル５０の間隙に樹脂６０を充填して連結し役物タイルユニット７０を形成する役物タイルユニットの製造方法であって、整列させる複数の役物タイル５０の裏面形状に対応させた山形の役物タイル整列台１に役物タイル５０を載置して整列させる工程と、役物タイル整列台１上に整列された役物タイル５０の間隙に樹脂６０を充填する工程とを有し、当該役物タイル５０の間隙に樹脂６０を充填する工程は、役物タイル整列台１の目地間隔形成用凸部３に設けられた樹脂充填用凹部４に樹脂６０を充填して行うことを特徴とする役物タイルユニットの製造方法である。
【００３２】
なお、役物タイルユニット７０は、複数の役物タイル５０を整列させる工程と、整列された役物タイル５０の目地間隙に熱硬化性樹脂を充填する工程と、樹脂が充填された役物タイル群を加熱して樹脂を硬化させる工程と、樹脂が硬化した役物タイル群を冷却する工程と、作製された役物タイルユニット７０を役物タイル整列台１から脱型する工程を経て作製される。本発明の役物タイルユニットの製造方法は、これらの工程のうち、複数の役物タイル５０を整列させる工程と、整列された役物タイル５０の目地間隙に熱硬化性樹脂を充填する工程とに関するものである。以下、各工程について順次詳述する。
【００３３】
整列させる複数の役物タイル５０の裏面形状に対応させた山形の役物タイル整列台１に役物タイル５０を載置して整列させる工程では、まず、コンベア１２の始端部付近において、山形の役物タイル整列台１に上方から役物タイル５０を載置する。役物タイル５０を載置した役物タイル整列台１は、そのままの状態（役物タイルを上方より載置した状態）でコンベア１２の終端部方向に向かって順次搬送される。
【００３４】
役物タイル整列台１上に整列された役物タイル５０の間隙に樹脂６０を充填する工程では、コンベア１２の終端部に搬送された役物タイル整列台１が、まず、往復動手段によりノズル１４の下方（図６中奥側）に移動される。つぎに、昇降手段により、役物タイル整列台１はノズル１４に向かって上昇される。そして、役物タイル整列台１の目地間隔形成用凸部３に設けられた樹脂充填用凹部４にノズル１４から樹脂６０が滴下され充填される。この時、樹脂６０は樹脂充填用凹部４に留まり、下方に流れてしまうことがなく、また、滴下の際に各斜面を水平状態にする必要もなく、極めて容易に樹脂充填を行うことができる。
【００３５】
そして、樹脂が充填された後、役物タイル整列台１は昇降手段により降下され、さらに、往復動手段により、コンベア１２の終端部に戻される。その後、役物タイルユニット７０を載置した役物タイル整列台１は、加熱工程、冷却工程および脱型工程へ移行して、役物タイルユニット７０が作製される。
【００３６】
さらに、図７に示した本発明の役物タイル整列台の他の実施例について説明する。
この実施例の役物タイル整列台２０と前述した役物タイル整列台１との基本的な相違は、役物タイル整列台１の樹脂充填用凹部４に対する離型性付与がテフロンテープ５にて為されているのに対して、役物タイル整列台２０は、樹脂充填用凹部４を備え着脱可能な離型性付与チップ２２にて構成されている点であり他は同様である。同一構成部分については同一符号を付し説明を省略する。
【００３７】
より具体的には、離型性付与チップ２２はテフロンにて形成されており、目地間隔形成用凸部３と、目地間隔形成用凸部３に形成された樹脂充填用凹部４と、役物タイル載置面と面一に配される平面部２２ａと、本体部２１の裏面に面当接される押圧面部２２ｂとを有している。そして、本体部２１に離型性付与チップ２２を取り付ける場合は、本体部２１の裏面側から配置孔内に離型性付与チップ２２を挿入し平面部２２ａが露呈するように配すると共に、押圧面部２２ｂが本体部２１の裏面に面当接されるように配する。この状態で裏板２３を本体部２１に取り付けて離型性付与チップ２２を固定する。このように、離型性付与チップ２２を着脱自在とすることにより、磨耗等した場合に離型性付与チップ２２を容易に取り替えることができる。なお、この実施例の離型性付与チップ２２はテフロンにて形成されているが、基材となる部材にテフロン加工等の離型性を付与する表面加工を施したものでもよい。
【図面の簡単な説明】
【００３８】
【図１】本発明の役物タイル整列台の一実施例の平面図である。
【図２】図１のＡ−Ａ線断面図である。
【図３】本発明の役物タイルユニットの製造方法の一工程を説明するための平面図である。
【図４】本発明の役物タイルユニットの製造方法の一工程を説明するための部分拡大図である。
【図５】本発明の役物タイルユニットの製造方法の一工程を説明するための断面図である。
【図６】本発明の役物タイルユニットの製造装置の一実施例の正面図である。
【図７】本発明の役物タイル整列台の他の実施例の斜視図である。
【図８】役物タイルユニットの一実施例の斜視図である。
【図９】図８に示した役物タイルユニットの正面図である。
【符号の説明】
【００３９】
１  役物タイル整列台
２  本体部
３  目地間隔形成用凸部
４  樹脂充填用凹部
５  離型性付与テープ
６  貫通穴
１０  役物タイルの製造装置
１１  支持本体
１２  コンベア
１３  樹脂充填手段
１４  ノズル
【図１】
2005076298.tif 000003
【図２】
2005076298.tif 000004
【図３】
2005076298.tif 000005
【図４】
2005076298.tif 000006
【図５】
2005076298.tif 000007
【図６】
2005076298.tif 000008
【図７】
2005076298.tif 000009
【図８】
2005076298.tif 000010
【図９】
2005076298.tif 000011